(57)【要約】      （修正有）【課題】簡易な構造でありながらクーラーボックス内での移動を抑制することの可能な保冷容器を提供する。【解決手段】保冷容器１は、クーラーボックス２内に収容されるものであって、上面３１、下面、及び、側面を有する本体部３と、上面３１及び下面にそれぞれ形成された第１の係合部３５及び第２の係合部と、を備え、第１の係合部３５及び第２の係合部は、互いに係合可能な形状を有している。このような構成によれば、複数の保冷容器１を連結させることが可能であるため、簡易な構造でありながら複数の保冷容器１のクーラーボックス内での移動を抑制することが可能となる。【選択図】図２
0003233342.tif 000002
【実用新案登録請求の範囲】
【請求項１】
クーラーボックス内に収容される保冷容器であって、
上面、下面、及び、側面を有する本体部と、
前記上面及び下面にそれぞれ形成された第１の係合部及び第２の係合部と、
を備え、
前記第１の係合部及び前記第２の係合部は、互いに係合可能な形状を有していることを特徴とする保冷容器。
【請求項２】
前記本体部は、略直方体形状を有しており、
前記第１の係合部は、前記上面の対向する第１の一対の辺側の前記上面の中心に関して対称な位置に凹状又は凸状にそれぞれ設けられ、前記第１の一対の辺に沿って延び、前記第２の係合部は、前記第１の一対の辺に対応する前記下面の第２の一対の辺側の前記下面の中心に関して対称な位置に凸状又は凹状にそれぞれ設けられ、それぞれ前記第２の一対の辺に沿って延びていることを特徴とする請求項１に記載の保冷容器。
【請求項３】
前記クーラーボックスの内壁に吸着可能な吸着部材を取り付け可能とするために前記本体部、前記第１の係合部又は前記第２の係合部に設けられた取付部を更に備えたことを特徴とする請求項１又は２に記載の保冷容器。
【請求項４】
前記本体部の内部に液体を流入出させるために前記上面又は前記下面に形成された流入出口を塞ぐための栓部を更に備え、
一の保冷容器の第１の係合部と他の保冷容器の第２の係合部が係合した際に、前記一の保冷容器の栓部が前記他の保冷容器の本体部と対向して当接又は近接するように、前記流入出口の位置及び前記栓部のサイズが設定されていることを特徴とする請求項１から３のいずれか一項に記載の保冷容器。
【請求項５】
前記本体部には、前記クーラーボックスに設けられた排水口に対応した切り欠き部が形成されていることを特徴とする請求項１から４のいずれか一項に記載の保冷容器。
【考案の詳細な説明】
【技術分野】
【０００１】
本考案は、簡易な構造でありながらクーラーボックス内での移動を抑制することの可能な保冷容器に関する。
【背景技術】
【０００２】
従来より、搬送中の蓄冷材の上方への移動を規制する規制部が設けられた保冷容器が知られている（例えば、特許文献１参照）。
【先行技術文献】
【特許文献】
【０００３】
【特許文献１】特開２０２１−０６２８７２
【考案の概要】
【考案が解決しようとする課題】
【０００４】
しかしながら、規制部などを設けずに、より簡易的に保冷剤の移動を規制したいという要望がある。
【０００５】
そこで、本考案は、簡易な構造でありながらクーラーボックス内での移動を抑制することの可能な保冷容器を提供することを目的としている。
【課題を解決するための手段】
【０００６】
上記課題を解決するために、本考案は、クーラーボックス内に収容される保冷容器であって、上面、下面、及び、側面を有する本体部と、前記上面及び下面にそれぞれ形成された第１の係合部及び第２の係合部と、を備え、前記第１の係合部及び前記第２の係合部は、互いに係合可能な形状を有していることを特徴とする保冷容器を提供している。
【０００７】
このような構成によれば、「どれくらいクーラーボックスの内部を冷やしたいか」、「どれくらいクーラーボックス内に魚等を収容するか」等の必要に応じて、連結させる保冷容器の数を変更することが可能となる。また、複数の保冷容器を連結させることで、簡易な構造でありながら複数の保冷容器のクーラーボックス内での移動を抑制することが可能となる。
【０００８】
また、前記本体部は、略直方体形状を有しており、前記第１の係合部は、前記上面の対向する第１の一対の辺側の前記上面の中心に関して対称な位置に凹状又は凸状にそれぞれ設けられ、前記第１の一対の辺に沿って延び、前記第２の係合部は、前記第１の一対の辺に対応する前記下面の第２の一対の辺側の前記下面の中心に関して対称な位置に凸状又は凹状にそれぞれ設けられ、それぞれ前記第２の一対の辺に沿って延びていることが好ましい。
【０００９】
このような構成によれば、保冷容器同士をコンパクトかつ強固に結合させることが可能となる。また、第１の係合部と第２の係合部は、それぞれ凹状及び凸状に設けられているので、係合した際に、全体の体積が増加することが軽減される。更に、一対の第１の係合部（第２の係合部）が中心から対称な位置に設けられているため、地面等に置く際にも座りが良くなる。
【００１０】
また、前記クーラーボックスの内壁に吸着可能な吸着部材を取り付け可能とするために前記本体部、前記第１の係合部又は前記第２の係合部に設けられた取付部を更に備えたことが好ましい。
【００１１】
このような構成によれば、連結された複数の保冷容器の各取付部に吸着部材を取り付けなくても、例えば、最上段の保冷容器の取付部のみに吸着部材を取り付け、当該吸着部材をクーラーボックスの内壁に吸着させるだけで、連結された複数の保冷容器を容易に固定することが可能となる。
【００１２】
また、前記本体部の内部に液体を流入出させるために前記上面又は前記下面に形成された流入出口を塞ぐための栓部を更に備え、一の保冷容器の第１の係合部と他の保冷容器の第２の係合部が係合した際に、前記一の保冷容器の栓部が前記他の保冷容器の本体部と対向して当接又は近接するように、前記流入出口の位置及び前記栓部のサイズが設定されていることが好ましい。
【００１３】
このような構成によれば、栓部が流入出口から外れてしまうことが他の保冷容器の本体部によって阻止されるので、本体部内に充填された保冷剤等がクーラーボックス内に流出してしまうことが抑制される。
【００１４】
また、前記本体部には、前記クーラーボックスに設けられた排水口に対応した切り欠き部が形成されていることが好ましい。
【００１５】
このような構成によれば、釣り用のクーラーボックス等に設けられた排水口からスムーズに排水を行うことが可能となる。
【考案の効果】
【００１６】
本考案の保冷容器によれば、簡易な構造でありながらクーラーボックス内での移動を抑制することが可能となる。
【図面の簡単な説明】
【００１７】
【図１】本考案の実施の形態による保冷容器及びクーラーボックスの説明図
【図２】本考案の実施の形態による保冷容器及びクーラーボックスの上面図
【図３】本考案の実施の形態による保冷容器の側面図
【図４】本考案の実施の形態による保冷容器の連結の説明図
【考案を実施するための形態】
【００１８】
以下で、本考案の実施の形態による保冷容器１について、図１−４を参照して説明する。
【００１９】
図１及び図２に示すように、保冷容器１は、クーラーボックス２内に収容されることが可能である。
【００２０】
クーラーボックス２は、例えば、釣りの際に魚を収容する用途で使用されるものであり、図１に示すように、側面に排水口２１が設けられている。
【００２１】
図２及び図３に示すように、保冷容器１は、本体部３と、栓部４と、を備えている。
【００２２】
本体部３は、図３に示すように、上面３１、下面３２、及び、側面３３を有すると共に、内部に液体を流入出させるための流入出口３４が形成されている。
【００２３】
本実施の形態では、本体部３は、クーラーボックス２内に収容可能な平型の略直方体形状を有しており、流入出口３４は、下面３２に形成されているものとする。
【００２４】
上面３１及び下面３２には、第１の係合部３５及び第２の係合部３６がそれぞれ形成されており、第１の係合部３５及び第２の係合部３６は、互いに係合可能な形状を有している。本実施の形態では、上面３１及び下面３２には、凹状の第１の係合部３５及び凸状の第２の係合部３６がそれぞれ形成されているものとする。
【００２５】
このような構成により、図４に示すように、一の保冷容器１の上面３１に形成された第１の係合部３５と、他の保冷容器１の下面３２に形成された第２の係合部３６と、を係合させて、一の保冷容器１と他の保冷容器１とを結合させることが可能となるので、「どれくらいクーラーボックス２の内部を冷やしたいか」、「どれくらいクーラーボックス２内に魚等を収容するか」等の必要に応じて、連結させる保冷容器１の数を変更することが可能となる。
【００２６】
特に、本実施の形態では、第１の係合部３５は、上面３１の対向する第１の一対の辺３７Ａ側の上面３１の中心に関して対称な位置にそれぞれ凹状に設けられ、第１の一対の辺３７Ａに沿って延び、第２の係合部３６は、第１の一対の辺３７Ａに対応する下面３２の第２の一対の辺３７Ｂ側の下面３２の中心に関して対称な位置にそれぞれ凸状に設けられ、第２の一対の辺３７Ｂに沿って延びている。
【００２７】
このような構成により、保冷容器１同士をコンパクトかつ強固に結合させることが可能となる。また、第１の係合部３５と第２の係合部３６は、それぞれ凸状及び凹状に設けられているので、係合した際に、全体の体積が増加することが軽減される。更に、一対の第１の係合部３５（第２の係合部３６）が中心から対称な位置に設けられているため、地面等に置く際にも座りが良くなる。
【００２８】
ここで、例えば、釣った魚を収容する用途でクーラーボックス２を使用する場合には、クーラーボックス２内に収容する保冷容器の数を、釣った魚の量に応じて変更することが考えられる。しかしながら、クーラーボックス２内には、保冷容器と共に海水も収容することもあり、保冷容器は、浮力の影響でより移動しやすくなっている。そのため、複数の保冷容器を収容すると、それぞれがバラバラに移動してしまい、持ち運びに不便であると同時に、魚等を傷つけてしまうおそれがある。
【００２９】
しかしながら、本実施の形態では、複数の保冷容器１を連結させることが可能であるため、簡易な構造でありながら複数の保冷容器１のクーラーボックス内での移動を抑制することが可能となる。
【００３０】
また、本体部３には、クーラーボックス２の内壁に吸着可能な吸盤等の吸着部材５を取り付け可能とするための取付部３８が設けられている。本実施の形態では、４つの取付部３８が本体部３の側面３３に設けられている。
【００３１】
このような構成により、連結された複数の保冷容器１の各取付部３８に吸着部材５を取り付けなくても、例えば、最上段の保冷容器１の取付部３８のみに吸着部材５を取り付け、当該吸着部材５をクーラーボックス２の内壁に吸着させるだけで、連結された複数の保冷容器１を容易に固定することが可能となる。
【００３２】
図２に戻り、本体部３には、クーラーボックス２に設けられた排水口２１に対応した切り欠き部３９が形成されている。
【００３３】
釣り用のクーラーボックスには、排水口２１が形成されていることが多いが、排水口２１付近にスペースが設けられていないと、排水口２１から内部の海水等を排出しにくくなってしまう。しかしながら、本実施の形態では、本体部３に排水口２１に対応した切り欠き部３９が形成されているので、排水口２１からスムーズに排水を行うことが可能となる。
【００３４】
栓部４は、流入出口３４を塞ぐためのものであり、本実施の形態では、下面３２の端部側に設けられている。
【００３５】
特に、本実施の形態では、図４に示すように、一の保冷容器１の第１の係合部３５と他の保冷容器１の第２の係合部３６が係合した際に、一の保冷容器１の栓部４が他の保冷容器１の本体部３と対向して当接又は近接するように、流入出口３４の位置及び栓部４のサイズが設定されている。
【００３６】
このような構成により、栓部４が流入出口３４から外れてしまうことが他の保冷容器１の本体部３によって阻止されるので、本体部３内に充填された保冷剤等がクーラーボックス２内に流出してしまうことが抑制される。
【００３７】
なお、このような構成の場合、保冷容器１同士を結合した後では栓部４を取り外すことが難しいので、本体部３への保冷剤等の充填は、保冷容器１同士の結合前に行っておくことが好ましい。
【００３８】
以上説明したように、本実施の形態による保冷容器１では、第１の係合部３５及び第２の係合部３６は、互いに係合可能な形状を有している。
【００３９】
このような構成によれば、「どれくらいクーラーボックス２の内部を冷やしたいか」、「どれくらいクーラーボックス２内に魚等を収容するか」等の必要に応じて、連結させる保冷容器１の数を変更することが可能となる。また、複数の保冷容器１を連結させることで、簡易な構造でありながら複数の保冷容器１のクーラーボックス内での移動を抑制することが可能となる。
【００４０】
また、本実施の形態による保冷容器１では、第１の係合部３５は、上面３１の対向する第１の一対の辺３７Ａ側の上面３１の中心に関して対称な位置にそれぞれ設けられ、第１の一対の辺３７Ａに沿って延び、第２の係合部３６は、第１の一対の辺３７Ａに対応する第２の下面３２の第２の一対の辺３７Ｂ側の下面３２の中心に関して対称な位置にそれぞれ設けられ、第２の一対の辺３７Ｂに沿って延びている。
【００４１】
このような構成によれば、保冷容器１同士をコンパクトかつ強固に結合させることが可能となる。また、第１の係合部３５と第２の係合部３６は、それぞれ凹状及び凸状に設けられているので、係合した際に、全体の体積が増加することが軽減される。更に、一対の第１の係合部３５（第２の係合部３６）が上面３１（下面３２）の中心に関して対称な位置に設けられているため、地面等に置く際にも座りが良くなる。
【００４２】
また、本実施の形態による保冷容器１では、本体部３には、クーラーボックス２の内壁に吸着可能な吸盤等の吸着部材５を取り付け可能とするための取付部３８が設けられている。
【００４３】
このような構成によれば、連結された複数の保冷容器１の各取付部３８に吸着部材５を取り付けなくても、例えば、最上段の保冷容器１の取付部３８のみに吸着部材５を取り付け、当該吸着部材５をクーラーボックス２の内壁に吸着させるだけで、連結された複数の保冷容器１を容易に固定することが可能となる。
【００４４】
また、本実施の形態による保冷容器１では、一の保冷容器１の第１の係合部３５と他の保冷容器１の第２の係合部３６が係合した際に、一の保冷容器１の栓部４が他の保冷容器１の本体部３と対向して当接又は近接するように、流入出口３４の位置及び栓部４のサイズが設定されている。
【００４５】
このような構成によれば、栓部４が流入出口３４から外れてしまうことが他の保冷容器１の本体部３によって阻止されるので、本体部３内に充填された保冷剤等がクーラーボックス２内に流出してしまうことが抑制される。
【００４６】
また、本実施の形態による保冷容器１では、本体部３には、クーラーボックス２に設けられた排水口２１に対応した切り欠き部３９が形成されている。
【００４７】
このような構成によれば、釣り用のクーラーボックス２等に設けられた排水口２１からスムーズに排水を行うことが可能となる。
【００４８】
尚、本考案の保冷容器は、上述した実施の形態に限定されず、実用新案登録請求の範囲に記載した範囲で種々の変形や改良が可能である。
【００４９】
例えば、上記実施の形態では、第１の係合部３５と第２の係合部３６は、それぞれ凹状及び凸状に設けられていたが、それぞれ凸状及び凹状に設けられていても良い。
【００５０】
また、上記実施の形態では、本体部３は略直方体形状を有していたが、平型の円柱形状であっても良い。
【００５１】
また、保冷容器１としては、栓部４を備えず、最初から本体部３内に保冷剤等が充填されているものであっても良い。
【００５２】
また、上記実施の形態では、取付部３８は側面３３に設けられていたが、クーラーボックス２の内壁に吸着することができれば、上面３１、下面３２、第１の係合部３５又は第２の係合部３６に設けられても良い。
【００５３】
また、上記実施の形態では、流入出口３４は、下面３２に形成されていたが、上面３１に形成されても良い。
【符号の説明】
【００５４】
１          保冷容器
２          クーラーボックス
３          本体部
４          栓部
５          吸着部材
２１      排水口
３１      上面
３２      下面
３３      側面
３４      流入出口
３５      第１の係合部
３６      第２の係合部
３７Ａ  辺
３７Ｂ  辺
３８      取付部
３９      切り欠き部
【図１】
0003233342.tif 000003
【図２】
0003233342.tif 000004
【図３】
0003233342.tif 000005
【図４】
0003233342.tif 000006